(57)【特許請求の範囲】
【請求項１】
外部から導入した所定の液体を冷却して、供給する液体供給装置であって、冷却水を溜める水槽、所定の液体が通過する液体供給管路であって、前記水槽の内部に位置する液体供給管路、冷媒が循環する冷媒循環管路であって、前記水槽の内部に位置する冷媒循環管路、及び、前記冷媒を循環させる冷媒循環手段を有する冷却手段であって、前記冷媒によって前記冷却水を冷却する冷却手段、前記冷却水を所定の冷却状態に維持するために、前記冷媒循環手段の動作状態を制御する制御手段、前記冷媒循環手段の前記動作状態を動作状態情報として供給する動作状態情報供給手段、を有する液体供給装置から前記冷媒循環手段の前記動作状態を示す前記動作状態情報を取得する動作状態情報取得手段、
取得した前記動作状態情報から前記冷媒循環手段の稼働率を算出する稼働率算出手段、
算出した前記稼働率と、予め定められた基準稼働率とを比較することによって、前記冷媒循環手段が適切に稼働しているか否かを判断する稼働状況判断手段、
前記冷媒循環手段が適切に稼働していると判断すると、前記液体供給装置の設置環境が適切であると判断し、前記冷媒循環手段が適切に稼働していないと判断すると、前記液体供給装置の設置環境が不適切であると判断する設置環境判断手段、
を有する稼働状況管理装置。
【請求項２】
請求項１に係る稼働状況管理装置において、さらに、
前記冷媒循環手段が適切に稼働していないと判断すると、当該冷媒循環手段に対応する前記液体供給装置が有するエアフィルタの直近の点検時を取得し、前記点検時と前記冷媒循環手段の設置環境の判断時とを比較し、前記判断時が前記点検時から所定の期間外である場合、前記エアフィルタの点検が適切に行われていないと判断するエアフィルタ点検状態判断手段、
を有する稼働状況管理装置。
【請求項３】
請求項１又は請求項２に係る稼働状況管理装置において、
前記稼働状況判断手段は、
所定の変動要因及びその組み合わせ毎に予め定められた基準稼働率を用いること、
を特徴とする稼働状況管理装置。
【発明の詳細な説明】
【技術分野】
【０００１】
本発明は、液体を供給する液体供給装置に関し、特に、冷却効率の改善を示唆し得るものに関する。
【背景技術】
【０００２】
従来の液体供給装置である、飲料供給装置１１０について図２０を用いて説明する。飲料供給装置１１０では、冷却水を貯留する水槽１３０内には、飲料が通過する螺旋状に巻回された飲料管１４０と飲料管１４０の外側に配置され内部を冷媒が通過して冷却水を冷却する螺旋状に巻回された蒸発管１５０とが配設される。
【０００３】
飲料供給装置１１０には、冷媒を冷却し、蒸発管１５０の内部に循環させるための冷却用コンプレッサ（図示せず）が設置されている。冷却用コンプレッサが起動すると冷媒が冷却される。冷却された冷媒を蒸発管１５０に循環させて、蒸発管１５０を通して水槽１３０内の冷却水を冷却する。
【０００４】
コイル部１５０の周囲に成長する氷を検出するための導体片からなる氷検出センサ２０１、２０２が距離を隔てて配置されている。冷却水の冷却を始めてからある程度の時間が経過すると、蒸発管１５０の周りに氷がつき始める。氷検出センサ２０１、２０２によって、所定厚さ以上の氷の層を検出すると、十分に水槽１３０内の冷却水が冷えたと判断して、冷却用コンプレッサを停止させる。その後、冷却水の温度が上昇して蒸発管１５０の周りの氷が溶けたことを氷検出センサ２０１、２０２が検出すると、再び冷却用（追記）コンプレッサを起動する。
【０００５】
なお、水槽１３０内には攪拌モータ１６３により回転される冷却水攪拌翼１６０が設けられ、冷却水攪拌翼１６０の回転により冷却水が攪拌される。
【先行技術文献】
【特許文献】
【０００６】
【特許文献１】特開２０００−８８４２５号公報
【発明の概要】
【発明が解決しようとする課題】
【０００７】
前述の飲料供給装置１１０には、以下のような改善すべき点がある。飲料供給装置１１０では、設置環境が適切でないことから、冷却効率が落ちて冷却用コンプレッサが長時間稼働することが多い。例えば、冷却用のファンの後が壁などで遮断されている環境や、近傍に冷蔵庫が置かれておりその熱交換器の排気を受ける環境、調理設備の真下に設置されている環境等がある。また、冷却用コンプレッサに空気を取り込む際のゴミを除去するエアフィルターが清掃されないことで空気の流量が制限されて、冷却用コンプレッサの冷却効率が悪化することも多い。したがって、供給するビール品質の観点からも、また、省電力の観点からも、飲料供給装置１１０の設置環境の適否やエアフィルターの状態を判断し、判断結果を示唆できることが必要である。
【０００８】
そこで、本発明は、冷却効率の改善を示唆し得る液体供給装置の提供を目的とする。
【発明の効果】
【０００９】
本発明における課題を解決するための手段及び発明の効果を以下に示す。
【００１０】
本発明に係る液体供給装置は、外部から導入した所定の液体を冷却して、供給する液体供給装置であって、冷却水を溜める水槽、所定の液体が通過する液体供給管路であって、前記水槽の内部に位置する液体供給管路、冷媒が循環する冷媒循環管路であって、前記水槽の内部に位置する冷媒循環管路、及び、前記冷媒を循環させる冷媒循環手段を有する冷却手段であって、前記冷媒によって前記冷却水を冷却する冷却手段、前記冷却水を所定の冷却状態に維持するために、前記冷媒循環手段の動作状態を制御する制御手段、前記冷媒循環手段の前記動作状態を動作状態情報として供給する動作状態情報供給手段を有する。
【００１１】
つまり、冷媒循環手段の動作状態を介して、冷却水が所定の冷却状態に維持され、ひいては、液体が所定の冷却状態に維持される。
【００１２】
したがって、液体を所定の冷却状態に維持するために必要とされた冷媒循環手段の動作状態から、液体供給装置の設置環境を判断することができる。例えば、液体を所定の冷却状態に維持するために、冷媒循環手段を多くの時間動作させる必要があった場合、液体供給装置は、温度が高くなる環境、つまり、液体供給装置の設置には適さない環境に設置されていると判断することが可能である。液体を所定の冷却状態に維持するために、冷媒循環手段をあまり動作させる必要がなかった場合、液体供給装置は、温度が高くならない環境、つまり、液体供給装置の設置には好適な環境に設置されていると判断することが可能である。
【００１３】
本発明に係る液体供給装置では、前記制御手段は、前記冷却手段による冷却状態を検出する冷却状態検出手段、を有し、前記制御手段は、検出した前記冷却状態を用いて、前記冷媒循環手段の動作状態を制御する。
【００１４】
これにより、容易に冷却手段の冷却状態を判断できるので、冷媒循環手段の動作状態も容易に制御することができる。
【００１５】
本発明に係る液体供給装置では、前記冷却状態検出手段は、前記冷媒循環管路の外表面に形成される氷の層の厚さを、前記冷却状態として検出する。
【００１６】
これにより、容易に冷却手段の冷却状態を検出することができる。
【００１７】
本発明に係る液体供給装置では、前記冷却状態検出手段は、検出対象の導電率を検出する。
【００１８】
これにより、容易に冷却手段の冷却状態を検出することができる。
【００１９】
本発明に係る液体供給装置では、前記冷却状態検出手段は、検出対象の温度を検出する。
【００２０】
これにより、容易に冷却手段の冷却状態を検出することができる。また、冷却対象の温度を表示することも可能となる。
【００２１】
本発明に係る液体供給装置では、さらに、前記冷却状態として検出された前記検出対象の温度を所定の表示装置に表示する表示制御手段を有する。
【００２２】
これにより、液体供給装置の使用者は、容易に冷却状態での温度を確認することができる。
【００２３】
本発明に係る液体供給装置では、さらに、供給する液体の温度を検出する供給液体温度検知手段を有し、供給する前記液体の温度を所定の表示装置に表示する表示制御手段を有する。
【００２４】
これにより、液体供給装置の使用者は、容易に供給する液体の温度を確認することができる。したがって、供給する液体が、供給するのに適切な温度となっているか否かを容易に確認することができる。
【００２５】
本発明に係る稼働状況管理装置は、所定の液体供給装置から前記冷媒循環手段の前記動作状態を示す前記動作状態情報を取得する動作状態情報取得手段、取得した前記動作状態情報から前記冷媒循環手段の稼働率を算出する稼働率算出手段、算出した前記稼働率と、予め定められた基準稼働率とを比較することによって、前記冷媒循環手段が適切に稼働しているか否かを判断する稼働状況判断手段、前記冷媒循環手段が適切に稼働していると判断すると、前記液体供給装置の設置環境が適切であると判断し、前記冷媒循環手段が適切に稼働していないと判断すると、前記液体供給装置の設置環境が不適切であると判断する設置環境判断手段を有する。
【００２６】
これにより、液体供給装置の設置環境が適切であるか不適切であるかを容易に判断することができる。
【００２７】
本発明に係る稼働状況管理装置は、さらに、前記冷媒循環手段が適切に稼働していないと判断すると、当該冷媒循環手段に対応する前記液体供給装置が有するエアフィルタの直近の点検時を取得し、前記交換時と前記冷媒循環手段の設置環境の判断時とを比較し、前記判断時が前記点検時から所定の期間外である場合、前記エアフィルタの点検が適切に行われていないと判断するエアフィルタ点検状態判断手段を有する。
【００２８】
これにより、液体供給装置のエアフィルタが適切に点検されているか否かを容易に判断することができる。
【００２９】
本発明に係る稼働状況管理装置では、前記稼働状況判断手段は、所定の変動要因及びその組み合わせ毎に予め定められた基準稼働率を用いることを特徴とする。
【００３０】
これにより、変動要因を加味した上で、液体供給装置の設置環境が適切であるか不適切であるか、また、液体供給装置のエアフィルタが適切に点検されているか否かを容易に判断することができる。
【００３１】
ここで、点検とは、エアフィルタの機能が保たれているか否かを調べることをいい、必ずしも機能の回復作業をともなうものではない。なお、機能の回復作業としては、エアフィルタの交換、エアフィルタの洗浄（清掃）等がある。
【図面の簡単な説明】
【００３２】
【図１】本発明に係るビールサーバ１を用いた液体供給システムＮ１のシステム構成を示す図である。
【図２】ビールサーバ１の構成を示す図である。
【図３】制御回路１９のハードウェア構成を示す図である。
【図４】稼働状況管理装置５３のハードウェア構成を示す図である。
【図５】制御回路１９のメモリ１９２に記憶されているコンプレッサ動作状態管理ＤＢのデータ構造を示す図である。
【図６】稼働状況管理装置５３のハードディスク３１３に記憶されている稼働状況管理ＤＢのデータ構造を示す図である。
【図７】稼働状況管理装置５３のハードディスク３１３に記憶されている店舗ＤＢのデータ構造を示す図である。
【図８】制御回路１９の動作を示すフローチャートである。
【図９】稼働状況管理装置５３の動作を示すフローチャートである。
【図１０】ビールサーバ１の設置環境の一覧を画面に表示した図である。
【図１１】本発明に係るビールサーバ７１を用いた液体供給システムＮ２１のシステム構成を示す図である。
【図１２】ビールサーバ７１の構成を示す図である。
【図１３】制御回路１９の動作を示すフローチャートである。
【図１４】稼働状況管理装置７３の動作を示すフローチャートである。
【図１５】稼働状況管理装置５３のハードディスク３１３に記憶されているエアフィルタ交換管理ＤＢのデータ構造を示す図である。
【図１６】稼働状況管理装置５３のハードディスク３１３に記憶されているエアフィルタ状態管理ＤＢのデータ構造を示す図である。
【図１７】制御回路１９の動作を示すフローチャートである。
【図１８】稼働状況管理装置５３の動作を示すフローチャートである。
【図１９】ビールサーバ１の設置環境の一覧を画面に表示した図である。
【図２０】従来の液体供給装置である飲料供給装置１１０を示す図である。
【発明を実施するための形態】
【００３３】
以下、本発明の実施例について、図面を参照しながら詳細に説明していく。
【実施例１】
【００３４】
第１  構成
１．ビールサーバ稼働状況管理システムＮ１のシステム構成
ビールサーバ稼働状況管理システムＮ１のシステム構成について図１を用いて説明する。ビールサーバ稼働状況理システムＮ１は、ビールサーバ１、及び稼働状況管理装置５３を有している。ビールサーバ１と稼働状況管理装置５３とは、ネットワークを介して互いに情報の送受信が可能なうように接続されている。なお、接続するネットワークについては、有線、無線を問うものではない。
【００３５】
稼働状況管理装置５３は、飲食店等に設置されているビールサーバ１から稼働状況情報を取得し、ビールサーバ１の稼働状況から、ビールサーバ１が設置されている環境が適切か否かを判断する。
【００３６】
以下において、ビールサーバ１及び稼働状況管理装置５３のハードウェア構成を説明する。
【００３７】
２．ビールサーバ１の構成
図１に示すように、ビールサーバ１には、ビールを貯蔵するビール樽２が、ビール供給管継手３及びビール供給管４を介して接続されている。また、炭酸ガスボンベ５から調圧弁６及び各ガスホース７を介して、ガスホース継手８に炭酸ガスが供給される。ガスホース継手８から供給された炭酸ガスに押圧されたビール樽２内のビールがビール供給管継手３を通ってビール供給管４に供給される。
【００３８】
また、図２に示すように、ビールサーバ１は、本体の外側を外装ケース１０によって覆われると共に、その上側は蓋１１によって覆われている。外装ケース１０の前面には、ビールを供給するビール供給管４が接続される、一対の供給管接続部材１２が設けられている。供給管接続部材１２は、ほぼＬ型の管継手であり、下方からビール供給管４の端部を供給管接続部材１２の中に差し込む。これにより、ビール供給管４の端部が供給管接続部材１２に接続される。
【００３９】
また、供給管接続部材１２の前側には、上面に網状の板部材１５（図１参照）が載置される受皿１６が取り付けられている。
【００４０】
また、ビールサーバ１の前面上部には、左右一対の注出コック２０が取り付けられている。また、本体の下面の４箇所において脚部材１３が固設されている。ビールサーバ１は、脚部材１３を介して店内のカウンター等の上に配置される。
【００４１】
また、図２に示すように、本体の上半部には、冷却水を貯留した水槽２２が配置されている。水槽２２の下方には、コンプレッサ２３、凝縮器２４、及び凝縮器２４を冷却する不図示の冷却ファン等から構成される冷凍ユニット２５が設けられている。冷凍ユニット２５には、蒸発管２７が接続されている。蒸発管２７は、水槽２２の内壁部に取付具２８を介して螺旋状に取り付けられている。
【００４２】
冷媒は、冷凍ユニット２５→蒸発管２７→冷凍ユニット２５へ辿る経路を循環する。冷媒は、水槽２２において蒸発管２７を通過する際に蒸発し、冷却水との間で熱交換を行う。これにより、蒸発管２７の周囲には、氷Ｃが形成される。蒸発管２７の周囲に形成される氷Ｃの厚さによって、冷却水の温度を制御することができる。
【００４３】
なお、凝縮器２４の前側には、エアフィルタ２６が取り付けられている。
【００４４】
水槽２２の底面には、供給側端部が一対の供給管接続部材１２に接続される一対のステンレスパイプ製の飲料パイプ２９が断熱材中に埋設されている。そして、飲料パイプ２９は、水槽２２の内側底面部から上方に導出されて、各々ステンレスパイプ製のビール冷却管３０に接続されている。ビール冷却管３０は、螺旋状に形成されて、水槽２２内の蒸発管２７の内側に取付具を介して取り付けられている。飲料パイプ２９から圧送されたビールは、ビール冷却管３０の下側から上側に送出される。ビールは、ビール冷却管３０を通過する間に、冷却水によって、所定の温度まで冷却される。
【００４５】
ビール冷却管３０の注出側端部は、注出コック２０の注出端部に接続される。冷却されたビールは、注出コック２０を介してビアジョッキ等に注出される。
【００４６】
前述のように、冷却水の温度は、蒸発管２７の周囲に形成される氷の厚さによって制御することができる。一方、ビールの温度は、冷却水の温度によって制御することができる。つまり、蒸発管２７の周囲に形成される氷の厚さによって、ビールの温度を制御することができる。
【００４７】
氷着センサ５１は、水槽２２の蒸発管２７の近傍に配置されている。氷着センサ５１が蒸発管２７の近傍に配置されるのは、水槽２２のなかで、氷が氷着したり、水温変化で氷が溶けたりするのが蒸発管２７の近傍だからである。ビールは、飲料パイプ２９を介して、水槽２２の下からビール冷却管３０に供給される。比較的温度の高いビールが水槽２２の下から供給されるので、水槽２２の下部において、他の部分に比べて、冷却水の温度が比較的早く高くなる。このため、水槽２２の温度を均一にすべく、撹拌モータ３６及び撹拌翼３４が設けられている。撹拌モータ３６は、撹拌翼３４を回転駆動する。冷却水は、撹拌翼３４の回転により撹拌され、水槽２２の温度が均一化される。
【００４８】
氷着センサ５１は、蒸発管２７の周りに所定の厚さの氷Ｃが形成されているか否かを水の電気抵抗の変化（導電率）で検知する。蒸発管２７の周りに所定の厚さの氷Ｃが形成されていない場合、氷着センサ５１は、氷Ｃを検知しないので、冷却水の導電率を検知し、出力する。冷却が進み氷着センサ５１が氷Ｃを検知すると、氷着センサ５１は、氷Ｃの導電率を検知し、出力する。制御回路１９（図示せず）は、この導電率の差を利用してコンプレッサの制御を行う。
【００４９】
制御回路１９は、水槽２２の下半部に配置されている。制御回路１９は、氷着センサ５１、及びコンプレッサ２３と電気的に接続されており、情報の送受信が可能となっている。なお、制御回路１９については後述する。
【００５０】
３．制御回路１９のハードウェア構成
制御回路１９のハードウェア構成を図３に示す。制御回路１９は、ＣＰＵ１９１、メモリ１９２、電源回路１９３、入出力回路１９６、計時回路１９７、及び通信回路１９８を有している。
【００５１】
ＣＰＵ１９１は、メモリ１９２に記録されているコンプレッサ動作状態管理プログラム等その他のアプリケーションに基づいた処理を行う。メモリ１９２は、コンプレッサ動作状態管理プログラム等のプログラムを記憶保持する。また、メモリ１９２は、コンプレッサ動作状態情報データベース（以下、コンプレッサ動作状態情報ＤＢ）を記憶保持する。コンプレッサ動作状態情報ＤＢについては後述する。さらに、メモリ１９２は、ＣＰＵ１９１に対して作業領域を提供する。電源回路１９３は、ＣＰＵ１９１等に必要な電源を供給する。
【００５２】
入出力回路１９６は、氷着センサ５１からセンサ値をセンサ情報として取得する。計時回路１９７は、時間を計測する。通信回路１９８は、ネットワークに接続する通信回路を有しており、稼働状況管理装置５３等の外部の通信機器とのデータの送受信を行う。
【００５３】
４．稼働状況管理装置５３のハードウェア構成
稼働状況管理装置５３のハードウェア構成について図４を用いて説明する。稼働状況管理装置５３は、ＣＰＵ３１１、メモリ３１２、ハードディスクドライブ３１３（以下、ＨＤＤ３１３とする）、キーボード３１４、マウス３１５、ディスプレイ３１６、光学式ドライブ３１７、通信回路３１８を有している。
【００５４】
ＣＰＵ３１１は、ＨＤＤ３１３に記録されているオペレーティング・システム（ＯＳ）、稼働状況管理プログラム等その他のアプリケーションに基づいた処理を行う。メモリ３１２は、ＣＰＵ３１１に対して作業領域を提供する。ＨＤＤ３１３は、オペレーティング・システム（ＯＳ）、稼働状況管理プログラム等その他のアプリケーション、及び各種データを記録保持する。各種データとしては、稼働状況管理データベース（以下、稼働状況管理ＤＢとする）、店舗データベース（以下、店舗ＤＢとする）がある。稼働状況管理ＤＢ及び店舗ＤＢについては後述する。
【００５５】
キーボード３１４、マウス３１５は、外部からの命令を受け付ける。ディスプレイ３１６は、ユーザーインターフェイス等の画像を表示する。光学式ドライブ３１７は、稼働状況管理プログラムが記録されている光学式メディア３１０から稼働状況管理プログラムを読み取り、また、他の光学式メディアからその他のアプリケーションのプログラムを読み取る等、光学式メディアからのデータの読み取りを行う。通信回路３１８は、ネットワークに接続する通信回路を有しており、ビールサーバ１等の外部の通信機器とのデータの送受信を行う。
【００５６】
第２  データ
ビールサーバ１の制御回路１９がメモリ１９２に記憶保持するコンプレッサ動作状態情報ＤＢ、及び、稼働状況管理装置５３がＨＤＤ３１３に記憶保持する稼働状況管理ＤＢ、店舗ＤＢについて、以下において説明する。
【００５７】
１．コンプレッサ動作状態情報ＤＢ
コンプレッサ動作状態情報とは、コンプレッサ２３が動作している時間を記録した情報である。コンプレッサ動作状態情報ＤＢのデータ構造について図５を用いて説明する。
【００５８】
コンプレッサ動作状態情報ＤＢは、動作開始時間列、動作終了時間列を有している。動作開始時間列には、コンプレッサ２３が動作を開始した時間が記述される、具体的には、コンプレッサ２３に対する通電を開始した時間が記述される。動作終了時間列には、コンプレッサ２３が動作を終了した時間が記述される、具体的には、コンプレッサ２３に対する通電を終了した時間が記述される。
【００５９】
例えば、コンプレッサ２３に対して、２００９年７月１５日２１時３０分００秒から通電を開始し、２００９年７月１５日２１時３５分００秒に通電を終了した場合、図５に示すように、動作開始時間列には、２００９年７月１５日２１時３０分００秒が、動作終了時間列には２００９年７月１５日２１時３５分００秒が、それぞれ記述される。
【００６０】
２．稼働状況管理ＤＢ
稼働状況情報とは、ビールサーバ１のコンプレッサ２３の稼働状況を表す情報である。稼働状況情報のデータ構造について図６を用いて説明する。
【００６１】
稼働状況情報は、ビールサーバＩＤ列、判断日列、設置環境列を有している。ビールサーバＩＤ列には、ビールサーバ１を特定するビールサーバＩＤが記述される。判断日列には、ビールサーバ１の設置環境を判断した日が記述される。設置環境列には、ビールサーバ１が設置されている環境がビールを提供するにあたり適切な環境にあるか否かの評価が記述される。具体的には、ビールサーバ１が設置されている環境が適切であると判断される場合には「○」が、適切でないと判断される場合には「×」が、それぞれ記述される。
【００６２】
３．  店舗ＤＢ
店舗ＤＢは、ビールサーバ１を設置している店舗に関する書誌的事項をデータベースとして保存したものである。店舗ＤＢのデータ構造を図７に示す。
【００６３】
店舗ＤＢは、ビールサーバＩＤ列、営業時間列を有している。ビールサーバＩＤ列には、各店舗に備えられるビールサーバのビールサーバＩＤが記述される。営業時間列には、ビールサーバＩＤに対応するビールサーバ１が設置されている店舗の営業時間が、例えば「１２：００〜２２：００」と、記述される。
【００６４】
第３  ビールサーバ１の制御回路１９の動作
制御回路１９のＣＰＵ１９１の動作について、図８に示すフローチャートを用いて説明する。ＣＰＵ１９１は、氷着センサ５１からセンサ情報を取得すると（Ｓ８０１）、センサ情報の値が冷却水の導電率を示すか否かを判断する（Ｓ８０３）。ＣＰＵ１９１は、センサ情報の値が冷却水の導電率を示すと判断すると、メモリ１９２から前回に取得したセンサ情報の値を取得する（Ｓ８０５）。ＣＰＵ１９１は、前回に取得したセンサ情報の値が氷の導電率を示していたと判断すると（Ｓ８０７）、コンプレッサ２３に対して動作開始情報を送信する（Ｓ８０９）。また、ＣＰＵ１９１は、計時回路１９７から動作開始情報を送信した時刻を取得する（Ｓ８１１）。ＣＰＵ１９１は、取得した時刻の値をコンプレッサ動作状態管理ＤＢの動作開始時間列に記述し（Ｓ８１３）、メモリ１９２に記憶保持する（Ｓ８１５）。ＣＰＵ１９１は、ステップＳ８０７において前回に取得したセンサ情報の値が氷の導電率を示していない、つまり冷却水の導電率であると判断すると、ステップＳ８０１以降の処理を実施する。
【００６５】
一方、ＣＰＵ１９１は、ステップＳ８０３においてセンサ情報の値が冷却水の導電率を示していない、つまり氷の導電率を示すと判断すると、メモリ１９２から前回に取得したセンサ情報の値を取得する（Ｓ８１７）。ＣＰＵ１９１は、前回に取得したセンサ情報の値が冷却水の導電率を示していたと判断すると（Ｓ８１９）、コンプレッサ２３に対して動作終了情報を送信する（Ｓ８２１）。また、ＣＰＵ１９１は、計時回路１９７から動作終了情報を送信した時刻を取得する（Ｓ８２３）。ＣＰＵ１９１は、取得した時刻の値をコンプレッサ動作状態管理ＤＢの動作終了時間列に記述し（Ｓ８２５）、メモリ１９２に記憶保持する（Ｓ８２７）。ＣＰＵ１９１は、ステップＳ８１９において前回に取得したセンサ情報の値が冷却水の導電率を示していない、つまり氷の導電率であると判断すると、ステップＳ８０１以降の処理を実施する。
【００６６】
ＣＰＵ１９１は、所定時間になると（Ｓ８２９）、メモリ１９２に記憶保持しているコンプレッサ動作状態管理ＤＢの値を、ビールサーバ１のビールサーバＩＤと関連づけてコンプレッサ動作状態情報として稼働状況管理装置５３へ送信する（Ｓ８３１）。ＣＰＵ１９１は、ステップＳ８０１〜Ｓ８３１の処理を繰り返す（Ｓ８３３）。
【００６７】
第４  稼働状況管理装置５３の稼働状況管理処理
稼働状況管理装置５３のＣＰＵ３１１が稼働状況管理プログラムに基づき実行する稼働状況管理処理について、図９に示すフローチャートを用いて説明する。ＣＰＵ３１１は、コンプレッサ動作状態情報を受信すると（Ｓ９０１）、ビールサーバＩＤを抽出し（Ｓ９０３）、稼働状況管理ＤＢにおけるビールサーバＩＤ列に抽出したビールサーバＩＤを記述する（Ｓ９０５）。
【００６８】
そして、ＣＰＵ３１１は、コンプレッサ動作状態情報から動作開始時間及び動作終了時間を抽出する（Ｓ９０７）。ＣＰＵ３１１は、抽出した動作開始時間、動作終了時間に基づき、１日の稼働時間を算出する（Ｓ９０９）。また、ＣＰＵ３１１は、店舗ＤＢからステップＳ９０３において抽出したビールサーバＩＤに対応する営業時間列の値を取得する（Ｓ９１１）。そして、ＣＰＵ３１１は、ステップ９０９で算出した稼働時間と、ステップＳ９１１で取得した営業時間とに基づき、ビールサーバ１のコンプレッサ２３の動作に関する営業時間に対する稼働時間の割合を示す稼働率を算出する（Ｓ９１３）。
【００６９】
ＣＰＵ３１１は、メモリ１９２に記憶している基準稼働率を取得する（Ｓ９１５）。基準稼働率とは、１日の業務時間におけるコンプレッサ２３の動作時間の標準的な割合を示すものである。基準稼働率は、例えば、ビールサーバ１、ビール樽等を標準的な環境に設置し、所定の温度のビールを提供するために必要とされるコンプレッサ２３の動作時間の業務時間に対する割合について、実験等により得られる値である。
【００７０】
ＣＰＵ３１１は、ステップＳ９１３において算出したビールサーバ１の稼働率が、ステップＳ９１５において取得した基準稼働率よりも高いと判断すると（Ｓ９１７）、稼働状況管理ＤＢにおけるビールサーバ１のビールサーバＩＤに対する設置環境列に「×」を記述する（Ｓ９１９）。
【００７１】
一方、ＣＰＵ３１１は、ＣＰＵ３１１は、ステップＳ１００３において算出したビールサーバ１の稼働率が、ステップＳ１００５において取得した基準稼働率よりも高くないと判断すると（Ｓ９１７）、稼働状況管理ＤＢにおけるビールサーバ１のビールサーバＩＤに対する設置環境列に「○」を記述する（Ｓ９２１）。
【００７２】
ビールサーバ１から提供されるビールの品質は、ビールサーバ１やビール樽が設置されている環境に依存するところも大きい。ビールサーバ１が高温となるような環境に設置されていた場合、適切な温度のビールを供給するためには、冷却水の温度上昇を防止するために、頻繁にコンプレッサ２３を動作させて、凝縮器を動作させる必要がある。なお、ビールサーバ１が高温となるような環境としては、例えば、冷却用のファンの後が遮断されている環境や、近傍に冷蔵庫が置かれておりその熱交換器の排気を受ける環境、電灯設備の真下に設置されている環境等がある。これらの環境は、一般的な店舗において、よく発生するものである。
【００７３】
したがって、コンプレッサ２３の１日の動作状態を観察することによって、ビールサーバ１が適切な環境に設置されているか否かを、判断することが可能となる。
【００７４】
ＣＰＵ３１１は、取得した全てのコンプレッサ動作状態情報についてステップＳ１００１〜Ｓ１１１１までの処理を実行したと判断すると（Ｓ９２３）、処理を終了する。
【００７５】
その後、例えば、ＣＰＵ３１１は、使用者等の求めに応じて、図１０に示すような、各ビールサーバ１の設置環境を示す一覧を表示する。また、表示に際しては、設置環境が適切でないものについては、ハイライト付け、色づけ等を行うことによって、注意喚起を行う。
【実施例２】
【００７６】
前述の実施例１においては、水の電気抵抗の変化（導電率）を利用する氷着センサ５１を用いて蒸発管２７の周りに所定の厚さの氷が形成されているか否かを検知することとしたが、本実施例においては、水と氷の温度差を利用する温度センサを用いて、蒸発管２７の周りに所定の厚さの氷が形成されているか否かを検知する。
【００７７】
なお、以下においては実施例１と同様の構成、処理等については、実施例１と同じ符号付し、また、詳細な記述を省略している。
【００７８】
第１  構成
１．ビールサーバ稼働状況管理システムＮ２１のハードウェア構成
ビールサーバ稼働状況管理システムＮ２１のネットワーク構成について図１１を用いて説明する。ビールサーバ稼働状況理システムＮ１は、ビールサーバ７１、及び稼働状況管理装置７３を有している。ビールサーバ７１及び稼働状況管理装置７３については一部の構成、一部の処理を除き、基本的に、実施例１におけるビールサーバ１及び稼働状況管理装置５３と同様である。
【００７９】
２．ビールサーバ７１の構成
ビールサーバ７１の構成を図１２に示す。ビールサーバ７１は、水槽２２の蒸発管２７の近傍に氷着検出用温度センサ９１、供給ビール用温度センサ９３、及び温度表示パネル９５を有している。
【００８０】
氷着検出用温度センサ９１は、蒸発管２７の周りに所定の厚さの氷が形成されているか否かを、冷却水と氷との温度の変化で検知する。蒸発管２７の周りに所定の厚さの氷が形成されていない場合、氷着検出用温度センサ９１は、冷却水の温度を検知し、出力する。冷却が進み氷着検出用温度センサ９１が氷に触れると、氷着検出用温度センサ９１は、氷を介して蒸発管２７の温度を検知し、出力する。なお、蒸発管２７の温度は、冷却水の温度に比べてかなり低い。よって、氷着検出用温度センサ９１は、氷に触れると、相当の温度変化を検知することになる。制御回路７９（図示せず）は、この温度差を利用してコンプレッサ２３の制御を行う。なお、制御回路７９については後述する。
【００８１】
なお、冷却水に水ではなく不凍液などを用いる場合は、導電率を用いてコンプレッサ２３を制御することが困難となる。よって、氷着検出には、温度センサを利用することが好ましい。
【００８２】
供給ビール用温度センサ９３は、ビール冷却管３０と注出コック２０との接続部近傍に配置されている。供給ビール用温度センサ９３は、実際に客に提供されるビールの温度、つまり、注出コック２０から供給されるビールの温度を検出する。
【００８３】
表示パネル９５は、ＬＥＤ表示画面及びＬＥＤ表示画面の表示状態を制御する制御回路を有している。表示パネル９５には、氷着検出用温度センサ９１及び／または供給ビール用温度センサ９３により検出された温度が表示される。
【００８４】
制御回路７９は、水槽２２の下半部に配置されている。制御回路７９は、氷着検出用温度センサ９１、供給ビール用温度センサ９３、温度表示パネル９５及びコンプレッサ２３と電気的に接続されており、情報の送受信が可能となっている。
【００８５】
ビールサーバ７１は、蒸発管２７の周りに所定の厚さの氷が形成されているか否かを氷着検出用温度センサ９１を用いて検出している。このように、温度センサを用いることによって、冷却水の温度、ひいては供給するビールの温度を取得することができる。加えて、温度表示パネル９５を用いて、氷着検出用温度センサ９１によって検出した温度を表示することによって、ビールサーバ７１の使用者は、冷却水の温度、供給するビールの温度を容易に確認することができる。したがって、供給するビールが適温に保たれているかを容易に確認することができる。
【００８６】
また、ビールサーバ７１は、供給ビール用温度センサ９３を用いて供給するビールの温度を検出している。氷着検出用温度センサ９１に加えて供給ビール用温度センサ９３を用いることによって、冷却水の温度と供給するビールの温度とが一致しない場合、例えば、繁忙期においてビール樽３を交換した後、すぐにビールを供給しなければならないため、ビールが適温まで冷却できていない場合においても、供給するビールの温度を正確に検出することができる。
【００８７】
その他の構成については、実施例１と同様である。
【００８８】
３．制御回路７９のハードウェア構成
制御回路７９のハードウェア構成については、実施例１と同様である。ただし、メモリ１９２は、コンプレッサ動作制御プログラム及び温度表示制御プログラムを記憶保持している。
【００８９】
第２  ビールサーバ７１の制御回路７９の動作
１．コンプレッサ動作制御処理
本実施例における制御回路７９のＣＰＵ１９１がコンプレッサ動作制御プログラムによって実行するコンプレッサ制御処理について、図１３に示すフローチャートを用いて説明する。ＣＰＵ１９１は、氷着検出用温度センサ９１からセンサ情報を取得すると（Ｓ１３０１）、センサ情報の値が冷却水の温度を示すか否かを判断する（Ｓ１３０３）。ＣＰＵ１９１は、センサ情報の値が冷却水の温度を示すと判断すると、メモリ１９２から前回に取得したセンサ情報の値を取得する（Ｓ１３０５）。ＣＰＵ１９１は、前回に取得したセンサ情報の値が冷却管３０の温度を示していたと判断すると（Ｓ１３０７）、コンプレッサ２３に対して動作開始情報を送信する（Ｓ１３０９）。また、ＣＰＵ１９１は、計時回路１９７から動作開始情報を送信した時刻を取得する（Ｓ１３１１）。ＣＰＵ１９１は、取得した時刻の値をコンプレッサ動作状態管理ＤＢの動作開始時間列に記述し（Ｓ１３１３）、メモリ１９２に記憶保持する（Ｓ１３１５）。ＣＰＵ１９１は、ステップＳ７０７（Ｓ１３０７?）において前回に取得したセンサ情報の値が冷却管３０の温度を示していない、つまり冷却水の温度であると判断すると、ステップＳ１３０１以降の処理を実施する。
【００９０】
一方、ＣＰＵ１９１は、ステップＳ１３０３においてセンサ情報の値が冷却水の温度を示していない、つまり冷却管３０の温度を示すと判断すると、メモリ１９２から前回に取得したセンサ情報の値を取得する（Ｓ１３１７）。ＣＰＵ１９１は、前回に取得したセンサ情報の値が冷却水の温度を示していたと判断すると（Ｓ１３１９）、コンプレッサ２３に対して動作終了情報を送信する（Ｓ１３２１）。また、ＣＰＵ１９１は、計時回路１９７から動作終了情報を送信した時刻を取得する（Ｓ１３２３）。ＣＰＵ１９１は、取得した時刻の値をコンプレッサ動作状態管理ＤＢの動作終了時間列に記述し（Ｓ１３２５）、メモリ１９２に記憶保持する（Ｓ１３２７）。ＣＰＵ１９１は、ステップＳ１３１９において前回に取得したセンサ情報の値が冷却水の温度を示していない、つまり冷却管３０の温度であると判断すると、ステップＳ１３０１以降の処理を実施する。
【００９１】
ＣＰＵ１９１は、所定時間になると（Ｓ１３２９）、メモリ１９２に記憶保持しているコンプレッサ動作状態管理ＤＢの値を、ビールサーバ７１のビールサーバＩＤと関連づけてコンプレッサ動作状態情報として稼働状況管理装置７３へ送信する（Ｓ１３３１）。ＣＰＵ１９１は、ステップＳ１３０１〜Ｓ１３３１の処理を繰り返す（Ｓ１３３３）。
【００９２】
なお、冷却水の温度及び冷却管３０の温度については、予めメモリ１９２に記憶保持しておく。
【００９３】
２．温度表示制御処理
本実施例における制御回路７９のＣＰＵ１９１が温度表示制御プログラムによって実行する温度表示制御処理について、図１４に示すフローチャートを用いて説明する。ＣＰＵ１９１は、供給ビール用温度センサ９３からセンサ情報を取得すると（Ｓ１４０１）、取得したセンサ情報の値を表示パネル９５に送信する（Ｓ１４０３）。ＣＰＵ１９１は、終了まで、ステップ１４０１、Ｓ１４０３の処理を繰り返す（Ｓ１４０５）。
【実施例３】
【００９４】
前述の実施例１においては、稼働状況管理装置５３は、コンプレッサ２３の１日の動作状態を観察することによってビールサーバ１が適切な環境に設置されているか否かを判断することとした。一方、本実施例においては、稼働状況管理装置５３は、さらに、ビールサーバ１で用いるエアフィルタ２６の管理状態を判断する。
【００９５】
以下においては、実施例１とことなる部分についてのみ詳細に記述する。
【００９６】
第１  構成
１．ビールサーバ稼働状況管理システムＮ１のシステム構成
ビールサーバ稼働状況管理システムＮ１のシステム構成については、実施例１と同様である。
【００９７】
２．ビールサーバ１の構成
ビールサーバ１の構成は、実施例１と同様である。
【００９８】
３．制御回路１９のハードウェア構成
制御回路１９のハードウェア構成については、実施例１と同様である。ただし、メモリ１９２は、さらに、エアフィルタ点検記録プログラムを記憶保持している。また、メモリ１９２は、さらに、エアフィルタ２６の点検が行われた際には、その日にちを一時的に記憶保持する。
【００９９】
４．稼働状況管理装置５３のハードウェア構成
稼働状況管理装置５３のハードウェア構成については実施例１と同様である。ただし、メモリ３１２は、さらに、フィルタ管理状態判断プログラムを記憶保持している。また、メモリ３１２は、さらに、エアフィルタ点検管理データベース（エアフィルタ点検管理ＤＢ）、エアフィルタ状態管理データベース（エアフィルタ状態管理ＤＢ）を記憶保持している。
【０１００】
第２  データ
稼働状況管理装置５３がＨＤＤ３１３に記憶保持するエアフィルタ点検管理ＤＢ及びエアフィルタ状態管理ＤＢについて、以下において説明する。その他のデータについては、実施例１と同様である。
【０１０１】
１．エアフィルタ点検管理ＤＢ
エアフィルタ点検管理ＤＢは、エアフィルタ２６が点検された日にちを各ビールサーバに対応させてデータベースとして記憶保持したものである。エアフィルタ点検管理ＤＢのデータ構造を図１５に示す。
【０１０２】
エアフィルタ点検管理ＤＢは、ビールサーバＩＤ列、及び、エアフィルタ点検日列を有している。ビールサーバＩＤ列には、各ビールサーバ１を一意に特定するビールサーバＩＤが記述される。エアフィルタ点検日列には、エアフィルタ２６が点検された日時が記述される。
【０１０３】
２．エアフィルタ状態管理ＤＢ
エアフィルタ状態管理ＤＢとは、エアフィルタ２６の管理状態を各ビールサーバに対応させてデータベースとしたものである。エアフィルタ状態管理ＤＢのデータ構造について図１６を用いて説明する。
【０１０４】
エアフィルタ状態管理ＤＢは、ビールサーバＩＤ列、判断日列、フィルタ状態列を有している。ビールサーバＩＤ列には、ビールサーバ１を一意に特定するビールサーバＩＤが記述される。判断日列には、ビールサーバ１のフィルタ２６の状態を判断した日が記述される。フィルタ状態列には、ビールサーバ１のフィルタ２６が適切に点検されているか否かの評価が記述される。具体的には、ビールサーバ１のフィルタ２６が適切に点検されていると判断される場合には「○」が、適切に点検されていないと判断される場合には「×」が、それぞれ記述される。
【０１０５】
第３  ビールサーバ１の制御回路１９のエアフィルタ点検記録処理
制御回路１９のＣＰＵ１９１がエアフィルタ点検記録プログラムに基づいて行うエアフィルタ点検記録処理について、図１７に示すフローチャートを用いて説明する。ＣＰＵ１９１は、エアフィルタ２６が点検されたことを示すエアフィルタ点検完了情報を取得すると（Ｓ１７０１）、計時回路１９７から取得時の日にちを取得する（Ｓ１７０３）。ＣＰＵ１９１は、取得した日にちをメモリ１９２に記憶保持する（Ｓ１７０５）。
【０１０６】
ＣＰＵ１９１は、所定時間になると（Ｓ１７０７）、メモリ１９２に記憶保持している日にちを、ビールサーバ１のビールサーバＩＤと関連づけてエアフィルタ点検情報として稼働状況管理装置５３へ送信する（Ｓ１７０９）。ＣＰＵ１９１は、全ての所定のレコードについてステップＳ１７０１〜Ｓ１７０９の処理を繰り返す（Ｓ１７１１）。
【０１０７】
なお、エアフィルタ点検完了情報は、例えば、エアフィルタ２６の点検時に、エアフィルタ２６の点検者が、ビールサーバ１に設けられているエアフィルタ点検完了ボタンを操作することによって生成される。また、エアフィルタ２６が取り外されている間に所定の電流が流れ、電流が流れていない状態から電流が流れる状態となるとエアフィルタ点検完了情報が生成されるようにしてもよい。同様に、エアフィルタ２６が取り付けられている間に所定の電流が流れ、電流が流れている状態から電流が流れていない状態となるとエアフィルタ点検完了情報が生成されるようにしてもよい。エアフィルタ２６を点検する際には、エアフィルタ２６の取り外しをともなうことが多いからである。
【０１０８】
第４  稼働状況管理装置５３の動作
稼働状況管理装置５３のＣＰＵ３１１の動作について、図１８に示すフローチャートを用いて説明する。
【０１０９】
また、ＣＰＵ３１１は、所定の時間になると（Ｓ１８０１）、稼働状況管理ＤＢから所定のレコードの一つを取得する（Ｓ１８０３）。なお、本実施例においては、実施例１における稼働状況管理処理に続いてフィルタ状態管理処理を実行することとしている。よって、所定の一のレコードは、稼働状況管理ＤＢにおいて最新の判断日を有するレコードのうちの一つとなる。
【０１１０】
ＣＰＵ３１１は、ステップＳ１８０３で取得したレコードの設置環境が「×」であるか否かを判断する（Ｓ１８０５）。ＣＰＵ３１１は、ステップＳ１８０３で取得したレコードの設置環境が「×」であると判断すると、そのレコードのビールサーバＩＤを抽出する（Ｓ１８０７）。
【０１１１】
ＣＰＵ３１１は、フィルタ状態管理ＤＢから、抽出したビールサーバＩＤに対応するレコードのうち最新の点検日を有するレコードを抽出する（Ｓ１８０９）。ＣＰＵ３１１は、ステップＳ１８０５において設置環境が「×」であると判断したレコードの判断日がステップＳ１８０９で抽出したレコードのフィルタ点検日から所定の日数αの範囲外にあるか否か、つまり、判断日＞フィルタ点検日＋αであるか否かを判断する（Ｓ１８１１）。
【０１１２】
ＣＰＵ３１１は、判断日＞フィルタ点検日＋αであると判断すると、エアフィルタ状態管理ＤＢのフィルタ状態列に「×」を記述する（Ｓ１８１３）。なお、その他の場合には、ＣＰＵ３１１は、エアフィルタ状態管理ＤＢのフィルタ状態列に「○」を記述する（Ｓ１８１５）。
【０１１３】
ＣＰＵ３１１は、全ての所定のレコードについてステップＳ１８０３〜Ｓ１８１５の処理を実行する（Ｓ１８１７）。
【０１１４】
実施例１においては、コンプレッサ２３の稼働率に基づきビールサーバ１の設置環境を判断している。エアフィルタ２６を交換して間がないにもかかわらずコンプレッサ２３の稼働率が高い場合は、ビールサーバ１の設置環境が悪いと考えられる。一方、エアフィルタ２６を交換して時間が経過していてコンプレッサ２３の稼働率が高い場合は、エアフィルタ２６の目詰まり等によるフィルタ効率の低下、つまりエアフィルタ２６の管理が悪いと考えられる。したがって、コンプレッサ２３の稼働率とエアフィルタ２６の点検日とを用いることによって、エアフィル２６の管理状態を判断することができる。これにより、ビールサーバ１の電力損失を抑えると共に、適切にビールを冷却することが可能となる。
【０１１５】
実施例１と同様に、例えば、ＣＰＵ３１１は、使用者等の求めに応じて、図１９に示すような、各ビールサーバ１の設置環境及びフィルタ状態を示す一覧を表示する。
【０１１６】
なお、ＣＰＵ３１１は、エアフィルタ点検情報を受信すると、エアフィルタ点検情報から抽出したビールサーバＩＤとエアフィルタの点検日とを関連づけてエアフィルタ点検管理ＤＢに記述する。
【０１１７】
［その他の実施例］
（１）コンプレッサ動作状態情報  ：  前述の実施例１においては、コンプレッサ動作状態情報としてコンプレッサ２３の動作開始時間及び動作終了時間を取得するとしたが、コンプレッサ２３の動作状態を示すものであれば、例示ものに限定されない。例えば、コンプレッサ２３が動作する際の電流値や、所定のセンサの抵抗値等であってもよい。コンプレッサ２３の動作電流値を用いることによって、動作の開始、終了だけでなく、動作中にどのように動作していたか、つまり動作過程を取得することが可能となる。このようなコンプレッサ２３の動作過程を設置環境の判断に取り入れることによって、より詳細な設置環境の判断が可能となる。
【０１１８】
（２）  稼働率の算出  ：  前述の実施例１においては、コンプレッサ２３の稼働率を算出するにあたって、予め店舗ＤＢに保持していた、ビールサーバ１が可動する営業時間を用いるとしたが、コンプレッサ２３の稼働率を算出できるものであれば、例示のものに限定されない。例えば、ビールサーバ１の電源を入れた時間、電源を切った時間をネットワークを介してビールサーバ１から取得するようにしてもよい。これにより、日々、異なる営業時間であっても、詳細な稼働率を算出することができる。
【０１１９】
（３）設置環境の判断  ：  前述の実施例１においては、ビールサーバ１の稼働率と、予め定めておいた基準稼働率とを比較することによって、ビールサーバ１の設置環境を判断することとしたが、設置環境を判断できるものであれば、例示のものに限定されない。例えば、適切な環境に設置されているバールサーバにおけるコンプレッサ理想的な動作経過を、シミュレーションや実験から算出しておき、理想的な動作経過と、実際の動作経過とを比較することによって、設置環境を判断するようにしてもよい。
また各店舗のビール出荷量、季節・気温などの環境情報などから妥当な平均稼働率を算出してそれとの比較を行うことも出来る。
【０１２０】
（４）温度表示  ：  前述の実施例２においては、温度表示パネル９５を用いて供給するビールの温度を表示することとしたが、当該温度を表示しなくともよい。また、実施例１において、供給ビール用温度センサ９３及び温度表示パネル９５を設けて、供給するビールの温度を表示するようにしてもよい。
【０１２１】
さらに、温度表示パネル９５については、供給するビールの温度を表示できるものであれば、例示のものに限定されない。例えば、ビールサーバ７１とは別体で、ビールサーバ７１から離れて設置される表示パネルを設けて、当該表示パネルにビールの温度を表示するようにしてもよい。また、当該表示パネルとビールサーバ７１との接続については、有線であっても無線であってもよい。
【０１２２】
（５）ビール  ：  前述の実施例１においては、ビールを供給するビールサーバ１を例示したが、液体を供給するものであれば、例示のものに限定されない。例えば、炭酸飲料や清涼飲料を供給する液体供給装置であってもよい。
【０１２３】
（６）コンプレッサ２３における動作の開始・終了  ：  前述の実施例１においては、コンプレッサ２３の動作の開始・終了は、制御回路１９が直接的に制御することとしたが、制御回路１９がコンプレッサ２３の動作の開始・終了を確認できるものであれば、例示のものに限定されない。例えば、氷着センサ５１からのセンサ情報をコンプレッサ２３が直接的に受信し、自らの動作の開始・終了を決定するようにしてもよい。この場合、制御回路１９は、コンプレッサ２３が動作を開始すると、コンプレッサ２３から動作開始情報を取得し、また、制御回路１９は、コンプレッサ２３が動作を終了すると、コンプレッサ２３から動作終了情報を取得するようにすればよい。
【０１２４】
（７）エアフィルタ点検管理ＤＢ  ：  前述の実施例３においては、エアフィルタ点検日をエアフィルタ点検管理ＤＢに記述するとしたが、エアフィルタの点検を管理できるものであれば例示のものに限定されない。例えば、点検の種類として、エアフィルタの交換及びエアフィルタの洗浄を設定し、両者を区別して、エアフィルタ点検管理ＤＢに記述するようにしてもよい。これにより、より細かいエアフィルタの管理が可能となる。
【０１２５】
例えば、あらかじめ稼動状況から推測される標準的なエアフィルタ交換頻度（１回／月等）を設定しておく。そして、標準的なエアフィルタ交換頻度と、エアフィルタ点検管理ＤＢから算出する交換頻度とを比較し、後者の交換頻度が高い場合には、対応するビールサーバ１を設置している店舗に対して、交換よりも洗浄を薦める等の対応を行う。これにより、不要なエアフィルタの交換を減らし、各店舗におけるエアフィルタの資材コストを低減することが出来る。また、エアフィルタの交換／洗浄直後は稼動状況が良好であったが、短期間で再び稼動状況が悪化するような場合には、設置環境にホコリが多いなどエアフィルタに不適な環境であると推測できる。よって、このような場合には、店舗に設置環境の変更または清掃を推奨する等の対応を行うことが可能となる。
【０１２６】
（８）基準稼働率  ：  前述の実施例１〜実施例３においては、ビールサーバ１の設置環境を判断するにあたり、例えば、ビールサーバ１、ビール樽等を標準的な環境に設置し、所定の温度のビールを提供するために必要とされるコンプレッサ２３の動作時間の業務時間に対する割合について、実験等により得られる値である基準稼働率を用いることとしたが、室温・季節・機種・ビール出荷量といった変動要因に基づき標準的な環境を設定するようにしてもよい。この場合、一つの変動要因、複数の変動要因の組み合わせ毎に標準的な環境を設定するようにする。例えば、季節、室温の二つの変動要因について、春の１０℃、春の１５℃・・・といった組み合わせ毎に、所定の温度のビールを提供するために必要とされるコンプレッサ２３の動作時間の業務時間に対する割合を実験等により取得する。
【０１２７】
そして、現在の環境について、これらの標準的な環境と最も近似する環境を選択し、選択した標準的な環境における基準稼働率を用いて、ビールサーバ１の設置環境を判断するようにすればよい。
【０１２８】
（９）稼働状況管理装置５３のハードウェア構成  ：  前述の実施例１においては、稼働状況管理装置５３は、光学式メディア３１０に記録された所定のプログラムを光学式ドライブ３１７を用いて取得するとしたが、所定のプログラム取得できるものであれば、例示のものに限定されない。例えば、ネットワークを介して各種プログラムをダウンロードするようにしてもよい。また、稼働状況管理装置５３は、ＨＤＤ３１３を有し、各種プログラムを記憶するとしたが、大容量メモリ、いわゆるシリコンディスクを有し、各種プログラムを記憶するようにしてもよい。さらに、稼働状況管理装置５３は、入力手段としてキーボード３１４、マウス３１５を有するとしたが、その他の入力装置、各種ポインタ類を用いるようにしてもよい。
【０１２９】
稼働状況管理装置７３についても同様である。
【０１３０】
（１０）ビールサーバ１及び稼働状況管理装置５３における機能の実現  ：  前述の実施例１〜実施例３においては、ビールサーバ１に設置した各種センサからのセンサ値を稼働状況管理装置５３が取得し、稼働状況管理装置５３がビールサーバ１に関する各種の判断を行うとしたが、ビールサーバ１及び稼働状況管理装置５３の機能を実現するものであれば例示の構成に限定されない。例えば、ビールサーバ１が稼働状況管理装置５３の機能を有するようにしてもよい。この場合、例えば、稼働状況管理装置５３は、ビールサーバ１の設置環境の判断、エアフィルタの交換状態の判断の一元管理のみを行うようにしてもよい。
【０１３１】
ビールサーバ７１及び稼働状況管理装置７３についても同様である。
【産業上の利用可能性】
【０１３２】
本発明に係る液体冷却装置は、例えば、ビールを供給するビールサーバを有するビールサーバシステムに用いることができる。
【符号の説明】
【０１３３】
１、７１・・ビールサーバ
５３、７３・・稼働状況管理装置
２２・・・・・水槽
２３・・・・・コンプレッサ
２４・・・・・凝縮器
２５・・・・・冷凍ユニット
２７・・・・・蒸発管
１９・・・・・制御回路
５１・・・・・氷着センサ
２９・・・・・飲料パイプ
３０・・・・・ビール冷却管
９１・・・・・氷着検出用温度センサ
９３・・・・・供給ビール用温度センサ
９５・・・・・温度表示パネル
【図１】
0005474481.tif 000002
【図２】
0005474481.tif 000003
【図３】
0005474481.tif 000004
【図４】
0005474481.tif 000005
【図５】
0005474481.tif 000006
【図６】
0005474481.tif 000007
【図７】
0005474481.tif 000008
【図８】
0005474481.tif 000009
【図９】
0005474481.tif 000010
【図１０】
0005474481.tif 000011
【図１１】
0005474481.tif 000012
【図１２】
0005474481.tif 000013
【図１３】
0005474481.tif 000014
【図１４】
0005474481.tif 000015
【図１５】
0005474481.tif 000016
【図１６】
0005474481.tif 000017
【図１７】
0005474481.tif 000018
【図１８】
0005474481.tif 000019
【図１９】
0005474481.tif 000020
【図２０】
0005474481.tif 000021